(57)【要約】【課題】ラップフィルム先端部を引出すガイドテープが常に容器開口部の容易に発見できる位置にあるラップフィルム装置を提供する。【解決手段】本発明のラップフィルム装置は、ラップフィルムのロール３０を容器１０内に収容する。容器１０は、ロールを収容可能な寸法及び上部開口１５を有する箱本体１２、及び上部開口１５を閉じることができる蓋体２０を含む。ロール３０はロールの外周面のラップフィルム先端部を容器外へ引出すためのガイドテープ４０を備える。ガイドテープ４０はロールの外周面の１／３周を超え１周未満の長さを有する。【選択図】図１
2007145430.tif 000002
【特許請求の範囲】
【請求項１】
ラップフィルムのロールを容器内に収容し、容器外へラップフィルムを引出し可能としたラップフィルム装置であって、
容器は、ロールを収容可能な寸法及び上部開口を有する箱本体、及び上部開口の後縁に連結され上部開口を閉じることができる蓋体を含み、箱本体は上部開口の隅部にロール飛出し防止片を有し、蓋体は上部開口を閉じたとき上部開口の前縁の下方に配置される切断刃を含み、
ロールはロールの外周面にラップフィルム先端部を容器外へ引出すためのガイドテープを備え、ガイドテープはロールの外周面の１／３周を超え１周未満の長さ及び５〜２０ｍｍの幅を有することを特徴とするラップフィルム装置。
【請求項２】
前記ガイドテープは、ロールの外周面のラップフィルム先端部に粘着される粘着部、及びロールの外周面に粘着されず指でつまむことができる遊離部を含み、遊離部は、５〜２５ｍｍ、好ましくは１０〜２０ｍｍの長さを有する請求項１のラップフィルム装置。
【請求項３】
前記ガイドテープは、ロールの外周面の１／２周を超え２／３周以下の長さを有し、ロールの外周面のラップフィルム先端部に粘着される粘着部及びロールの外周面から遊離し指でつまむことができる遊離部を含み、少なくとも遊離部が不透明であり、遊離部は、５〜２５ｍｍ、好ましくは１０〜２０ｍｍの長さを有す
請求項１のラップフィルム装置。
【請求項４】
前記ラップフィルムは、ポリ塩化ビニリデンを原材料とするものであり、前記ラップフィルム先端部は折返し部を重ねることにより補強されており、ラップフィルムの端縁は、ロールの軸方向中央又はロールの端部付近に頂部を有する凸形状を有し、前記ガイドテープは、基材の一面に粘着剤層を他面に剥離層を備える粘着テープからなり、ガイドテープの遊離部は、粘着テープの粘着剤層が折り返し部により覆われて形成され、前記ガイドテープの粘着部は、前記凸形状の頂部を覆うように配置される請求項１乃至３のいずれか１項に記載のラップフィルム装置。
【請求項５】
ラップフィルムのロールであって、ロールの外周面の１／３周を超え１周未満の長さ及び５〜２０ｍｍの幅を有するガイドテープを備え、前記ガイドテープは、ロールの外周面のラップフィルム先端部に粘着される粘着部及びロールの外周面から遊離した遊離部を含み、少なくとも遊離部が不透明であり、前記ラップフィルム先端部は、折返し部により補強されていることを特徴とするラップフィルムのロール。
【請求項６】
前記ガイドテープの遊離部は、ロールの外周面から遊離され、指でつまむことができるものである請求項５のラップフィルム装置。
【請求項７】
前記ガイドテープは、ロールの外周面の１／２周を超え２／３周以下の長さを有し、前記ガイドテープの粘着部は、ロールの軸方向中央付近又は軸方向の一方の端部付近のラップフィルム先端部に粘着され、前記ガイドテープは、基材の一面に粘着剤層を他面に剥離層を備える粘着テープからなり、ガイドテープの遊離部は、粘着テープの粘着剤層が折り返し部により覆われて形成される請求項５のラップフィルムのロール。
【請求項８】
前記ラップフィルムは、ポリ塩化ビニリデンを原材料とするものである請求項５乃至７のいずれか１項に記載のラップフィルムのロール。
【発明の詳細な説明】
【発明の属する技術分野】
【０００１】
本発明は、食品包装に使用されるラップフィルムのロールを容器内に収容し、ガイドテープによりラップフィルムの端部を容器外へ引出し可能としたラップフィルム装置に関し、より詳しくは、そのようなラップフィルム装置におけるラップフィルムのロール及びガイドテープの改良に関する。
【従来の技術】
【０００２】
従来、特に家庭用の食品包装に使用されるラップフィルム装置が知られる。ラップフィルム装置は、ラップフィルムのロールを容器内に収容し、ラップフィルムを所望の長さだけ人手により容器外へ引出し切断し使用可能にする。容器は、ロールを収容可能な寸法及び上部開口を有する箱本体、及び上部開口の後縁に連結され上部開口を閉じることができる蓋体を含み、蓋体は上部開口を閉じたとき上部開口の前縁の下方に配置される切断刃を含む。
【０００３】
特許文献１は、ロール状に巻かれたラップフィルム等の被包装物を収納する容器本体と、容器本体の後面部の頂縁に回動可能に連接された蓋本体とを備える包装用容器を開示する。特許文献１の包装用容器は、蓋を開けることなく使用中のラップフィルムの残量を確認することができるようにする目的で、容器本体又は蓋本体の所定部分に、透視して内部を確認するための開口ないしはスリットからなる窓部を形成している。
【０００４】
特許文献２は、樹脂フィルムの巻回体から樹脂フィルムの端部を容易に引き出すため、巻回体の外周面にガイドテープを粘着した樹脂フィルムを開示する。ガイドテープは、一面に剥離面を、他面に粘着面を有し、樹脂フィルムの巻回方向と同一方向に重なり合うように巻着され、フィルムと異色に着色される。
【特許文献１】特開２０００−１４２６８３号公報
【特許文献２】実開昭５５−１２０６３６号公報
【発明の開示】
【発明が解決しようとする課題】
【０００５】
ラップフィルムのロールを容器内に収容し、容器外へラップフィルム先端部を引出し可能とした従来のラップフィルム装置は、容器内のロールからのラップフィルムの引出しが可能であるように、容器内でロールがその軸線のまわりに回転可能にされる。そのため容器内のロールは、輸送時の振動に伴い回転し、ガイドテープが容器開口部から見えない位置へ移動することがあった。この場合にガイドテープを見付けるためロールを容器外へ取出すことは、蓋体に取付けられたラップフィルム用の切断刃に触れ、手に傷を負う危険があり、またラップフィルムの引出し時にロールが容器外へ飛出さないように飛出し防止片が設けてあるためロールを容器外へ取出すのは困難であった。それ故、従来のラップフィルム装置の使用開始時にラップフィルム先端部を容器外部へ引出すことがしばしば困難になった。
【０００６】
本発明の目的は、従来の問題点を解消したラップフィルム装置を提供することにある。即ち、ラップフィルム先端部を引出すためのガイドテープが容器開口部から見えない位置へ移動することがなく、ガイドテープが常に容器開口部の容易に発見できる位置にあり、ラップフィルム装置の使用開始時にガイドテープを視認して人手によりつまみ、ラップフィルム先端部を容器外部へ容易に引出すことができるラップフィルム装置を提供することである。本発明の他の目的は、ガイドテープの使用量を最少にし、またラップフィルム装置の製造時においてガイドテープ装着時間を最少とし、生産性を向上させ製造コストを低減することである。本発明のその他の目的及び利点は、特許請求の範囲、添付の図面、及び以下の説明において明らかにされる。
【課題を解決するための手段】
【０００７】
本発明のラップフィルム装置は、ラップフィルムのロールを容器内に収容し、容器外へラップフィルムを引出し可能とする。容器は、ロールを収容可能な寸法及び上部開口を有する箱本体、及び上部開口の後縁に回動可能に連結され上部開口を閉じることができる蓋体を含む。箱本体は上部開口の隅部にロール飛出し防止片を備える。蓋体は上部開口を閉じたとき上部開口の前縁の下方に配置される切断刃を含む。ロールはロールの外周面のラップフィルム先端部を容器外へ引出すためのガイドテープを備える。ガイドテープはロールの外周面の１／３周を超え１周未満の長さ及び５〜２０ｍｍの幅を有する。好適には、ガイドテープはロールの外周面の１／２周を超え２／３周以下の長さを有する。
【０００８】
本発明のラップフィルム装置は、次の要件を含むことができる。（１）ガイドテープは、ロールの外周面のラップフィルムに粘着される粘着部及びロールの外周面から遊離した遊離部を含み、少なくとも遊離部が不透明である。（２）ラップフィルム先端部は、折返し部により補強されており、ガイドテープの粘着部は、補強されたラップフィルム先端部に粘着される。（３）ガイドテープの粘着部は、ロールの軸方向中央付近、又はロールの軸方向の一方の端部付近のラップフィルム先端部に粘着される。（４）ガイドテープは、紙又は樹脂フィルムからなる基材の一面に粘着剤層を他面に剥離層を備える粘着テープからなり、ガイドテープの遊離部は、粘着テープの粘着剤層が折り返し部により覆われて形成される。（５）遊離部は、ロールの外周面から遊離され、指でつまむことができるものである（６）ガイドテープは、紙又は樹脂フィルムからなる基材の一部に粘着剤層を設けると共に粘着剤層のない部分を設けて遊離部とした構造とすることができる。（７）遊離部Ｍは、５〜２５ｍｍ、好ましくは１０〜２０ｍｍの長さを有する。
【０００９】
本発明のラップフィルムのロールは、ロールの外周面の１／３周を超え１周未満の長さを有するガイドテープを備える。前記ガイドテープは、ロールの外周面のラップフィルム先端部に粘着される粘着部及びロールの外周面から遊離した遊離部を含み、少なくとも遊離部が不透明である。遊離部は、ロールの外周面に粘着されず、指でつまむことができるものである。前記ラップフィルム先端部は折返し部により補強されている。ラップフィルムがポリ塩化ビニリデン製の場合は折返し部は１層以上が好適である。ラップフィルムは、ポリエチレン、ポリプロピレン、ポリメチルペンテン、ポリ塩化ビニル等を原料とするものが使用されるが、好適にはポリ塩化ビニリデンを原材料とするものである。好適には、ガイドテープはロールの外周面の１／２周を超え２／３周以下の長さを有する。
【００１０】
ガイドテープは、紙又は樹脂フィルムからなる基材の一面に粘着剤層を他面に剥離層を備える粘着テープからなり、ガイドテープの遊離部は、粘着テープの粘着剤層が折り返し部により覆われて形成される。また、ガイドテープは、紙又は樹脂フィルムからなる基材の一部に粘着剤層を設けると共に粘着剤層のない部分を設けて遊離部とした構造とすることができる。遊離部Ｍは、５〜２５ｍｍ、好ましくは１０〜２０ｍｍの長さを有する。ラップフィルムの端縁は、ロールの軸方向中央又はロールの端部付近に頂部を有する凸形状を有し、前記ガイドテープの粘着部は、前記凸形状の頂部を覆うように配置される。
【発明の実施の形態】
【００１１】
図面を参照し本発明の実施例を説明する。図面において、同様の部材には同じ符号を付し重複説明を省略する。図１は、本発明の第１実施例のラップフィルム装置１の使用開始時の概略斜視図であり、蓋体２０を開放した状態を示す。図２は、図１のラップフィルム装置の使用中の斜視図であり、蓋体２０が閉じられ、ラップフィルム３６の一部が引出された状態を示す。図３は、ラップフィルムのロール３０の斜視図であり、図４は、図３のロールのＢ−Ｂ線に沿った断面図である。図１に示すように、ラップフィルム装置１は、箱本体１２及び蓋体２０から成る容器１０、並びに容器１０内に収容されるラップフィルム３６のロール３０を含む。
【００１２】
ラップフィルム装置１の容器１０は、ロール３０を収容可能な寸法及び上部開口１５を有する箱本体１２、及び上部開口の後縁１６に回動自在に連結され上部開口１５を開閉可能な蓋体２０を含む。箱本体１２は、前壁１２１、後壁１２２、２つの端壁１２３、上部開口１５の前縁１７、及び上部開口１５の後縁１６を有し、箱本体１２内にラップフィルム３６のロール３０が収容される。ロール３０において、ラップフィルム３６は紙管３５の周囲に巻き付けられ、紙管３５の両端部がそれぞれラップフィルムの側縁から僅かに突出する。
【００１３】
蓋体２０は、蓋上壁２１、蓋端壁２５、蓋前壁２４、及び蓋前壁２４に固定される切断刃２２を有する。切断刃２２は、上部開口１５を閉じたとき上部開口の前縁１７の下方に配置される。切断刃２２は、鋸刃を備え、蓋前壁２４に固定され、全体形状が蓋体２０を閉じた状態で下方へ向かって凸型（図２）とされる。ロール３０は、ラップフィルム先端部３４を容器外へ引出すためのガイドテープ４０を備える。ガイドテープ４０は、ロールの外周面の１／３周（図４、Ｒ＝１２０°）を超える長さを有し、好適には１／２周（Ｒ＝１８０°）を超える長さを有する。またガイドテープ４０の長さは、ロールの１周（Ｒ＝３６０°）未満の長さが好ましく、好適には２／３周（Ｒ＝２４０°）以下の長さである。
【００１４】
図５は、ガイドテープの変形例（Ｒ＝２４０°）を示す断面図であり、図６は、ラップフィルム先端部及びガイドテープを示すロールの軸線に垂直の平面に沿う図解的断面図である。ガイドテープ４０は、図４、図５、及び図６に示すように、粘着部４２及び遊離部４１から成る。図１及び図３に示すロール３０において、ガイドテープ４０はロールの軸方向中央付近に配置される。後述するように、ガイドテープ４０はロールの軸方向端部付近に配置され得る。
【００１５】
図４、図５のロールの断面図において明瞭であるように、ガイドテープ４０は、ロールの外周面の１／３周（図４、Ｒ＝１２０°）を超える長さを有し、好適には１／２周（Ｒ＝１８０°）を超える長さを有する。またガイドテープ４０の長さは、ロールの１周（Ｒ＝３６０°）未満の長さが好ましく、好適には２／３周（Ｒ＝２４０°）以下の長さである。ガイドテープ４０の存在は、上部開口１５からほぼ角度Ｒが１８０°にわたり視認することができるから、１／２周を超える長さを有する場合、ロール３０が回転してもガイドテープが上部開口１５から全く見えなくなることはない。また、ガイドテープ４０がロールの外周の約１／３周の長さを有する場合に上部開口１５から全く見えなくなる位置へロール３０が回転する確率は小さい。
【００１６】
図５は、ガイドテープ４０の変形例を示す断面図である。図５において、ガイドテープ４０は、ロール３０の外周面の約２／３周の長さを有する。即ち、ガイドテープ４０によるロール３０の軸線３１のまわりの角度Ｒが約２４０°であるようにされる。この場合、ガイドテープ４０の使用量は多くなるが、ロール３０がどの位置へ回転しても上部開口１５からガイドテープが全く見えなくなることはない。
【００１７】
図６は、ラップフィルム先端部及びガイドテープ４０を示すロールの軸線に垂直の平面に沿う図解的断面図である。図６に示すように、ガイドテープ４０は、ラップフィルム先端部に粘着される粘着部４２、及び粘着されないで指でつまむことが可能な遊離部４１を有する。ガイドテープ４０の粘着部４２は、基材４４、基材４４の片面上の粘着剤層４３、基材４４の他面上の剥離層４５を積層した粘着テープから作られる。遊離部４１は、前記粘着テープの一部を折り返して粘着層４３同志が重なるようにして形成される。図６は、折り返し部４６により粘着テープの粘着剤層４３同志が合わせられて遊離部４１が形成された状態を示す。
【００１８】
ガイドテープ４０の基材４４は、紙又は合成樹脂の延伸若しくは未延伸フィルムであり、その合成樹脂は、ポリプロピレン、ポリエステル、ポリ塩化ビニル等である。ガイドテープ４０は、基材４４の一面に粘着剤層４３を他面に剥離層４５を備える粘着テープのロールから、剥離層４５により適宜の長さに剥離され引き出され得る。
【００１９】
図６に示すように、ガイドテープ４０の粘着部４２は、粘着剤層４３によりロール３０の外周面のラップフィルム先端部３４に粘着される。ガイドテープ４０の遊離部４１は、折り返し部４６により表面が剥離層４５で覆われ、ラップフィルムに粘着されず、人手により把持可能である。ロール３０の周方向における遊離部４１の長さＭは、５〜２５ｍｍ、好ましくは１０〜２０ｍｍである。ガイドテープ４０の少なくとも遊離部４１が不透明とされ、視認容易にされる。また、ガイドテープは、紙又は樹脂フィルムからなる基材の一部に粘着剤層を設けると共に粘着剤層のない部分を設けて遊離部とした構造とすることができる。即ち、ガイドテープは、紙材料製の基層内面に粘着層を有しロールの外周面のラップフィルム先端部に粘着される粘着部、及び紙材料製の基層内面に粘着層を設けない遊離部を含むものとすることができる。
【００２０】
図７は、本発明の他の実施例を示すラップフィルム装置の平面図であり、蓋２０が開放されたラップフィルムの使用開始時の状態を示す。図７のラップフィルム装置は、箱本体１２の上部開口１５の隅部にロール飛出し防止片１９を有する。ロール飛出し防止片１９は、ラップフィルム装置からラップフィルムを引出すとき、ロール３０が箱本体１２の上部開口１５から飛出すことを防止する。図８は、本発明の別の実施例を示すラップフィルムのロールの平面図である。図８のラップフィルムのロール３０において、ガイドテープ４０の幅Ｗは、５〜２０ｍｍ、好適には、１５ｍｍである。
【００２１】
図７、図８のラップフィルム装置において、ラップフィルムの端縁３７は、ロール３０の軸方向中央（図７）又はロールの端部３２、３３付近（図８）に頂部を有する凸形状を有する。ガイドテープ４０の粘着部は、前記凸形状の頂部を覆うように配置される。このようなラップフィルムの端縁３７の形状及びガイドテープの配置、並びにラップフィルム先端部３４に折り返し部を設けたことにより、ガイドテープ４０を引出すとき、ラップフィルム３６が全幅にわたり破断せずに引出され得る。
【００２２】
図１に示すように、箱本体１２の前壁１２１の中央上方に粘着層１４が配置される。粘着層１４は、引出されたラップフィルムの一部に粘着して引出されたラップフィルムのロール上への戻りを防止する。これは、ラップフィルムの切断縁がロール上へ戻ると、切断縁がロール外周面のラップフィルムに強く粘着し且つ識別困難となりロールから引出すことが困難となることを防止するものである。
【００２３】
ガイドテープ４０の把持可能な遊離部４１の長さＭ（図６）は、人の指により摘みラップフィルムの先端３８を引き出すことができる適当な寸法が選択され、例えば５〜２５ｍｍ、好ましくは１０〜２０ｍｍである。ガイドテープ４０の遊離部４１の幅Ｗ（図８）は、５〜２０ｍｍ、好適には、１５ｍｍである。
【００２４】
本発明のラップフィルム装置は、容器に収容されたラップフィルムのロールからラップフィルムを容器外へ引出すためのガイドテープが、ロールの外周面の１／３周を超える長さ、好適には１／２周を超える長さを有するため、輸送中に容器内でロールが大きく回転しても容器の上部開口からガイドテープを容易に視認することが可能であり、ラップフィルムの使用開始時の引出しの困難性を解消することができる。
【００２５】
本発明のラップフィルム装置において、ガイドテープは、ロールの１周未満、好適には２／３周以下の長さとしたので、製造時にガイドテープの使用量が少なく、装着時間も短いため、生産性を高くすることができる。また、ガイドテープの少なくとも遊離部が不透明であるので、ガイドテープの視認が容易である。
【図面の簡単な説明】
【００２６】
【図１】本発明の１つの実施例のラップフィルム装置の使用開始時の概略斜視図であり、端壁１２３の一部が切除された図である。
【図２】図１のラップフィルム装置の使用中の斜視図。
【図３】本発明の１つの実施例を示すラップフィルムのロールの斜視図。
【図４】図３のロールのＢ−Ｂ線に沿った断面図。
【図５】ガイドテープの変形例を示す図４と同様の断面図。
【図６】ラップフィルム先端部及びガイドテープを誇張して示すロールの軸線に垂直に垂直の平面に沿うロールの図解的断面図。
【図７】本発明の他の実施例を示すラップフィルム装置の平面図。
【図８】本発明の別の実施例を示すラップフィルムのロールの平面図である。
【符号の説明】
【００２７】
１：ラップフィルム装置、１０：容器、１２：箱本体、１３：箱前壁、１４：粘着層、１５：上部開口、１６：上部開口の後縁、１７：上部開口の前縁、１９：ロール飛出し防止片、２０：蓋体、２１：蓋上壁、２２：切断刃、２４：蓋前壁、２５：蓋側壁、３０：ロール、３１：ロールの軸線、３２：軸方向一端部、３３：軸方向他端部、３４：ラップフィルム先端部、３５：紙管、３６：ラップフィルム、３７：端縁、３８：折返し部、３９：ロールの外周面、４０：ガイドテープ、４１：ガイドテープ遊離部、４２：ガイドテープ粘着部、４３：粘着剤層、４４：基材、４５：剥離層、４６：折り返し部、１２１：前壁、１２２：後壁、１２３：端壁。
【図１】
2007145430.tif 000003
【図２】
2007145430.tif 000004
【図３】
2007145430.tif 000005
【図４】
2007145430.tif 000006
【図５】
2007145430.tif 000007
【図６】
2007145430.tif 000008
【図７】
2007145430.tif 000009
【図８】
2007145430.tif 000010